(57)【特許請求の範囲】
【請求項１】
床盤上に支持装置により支持されて敷設され、二重床構造を形成する二重床フロアパネルが隅部に切り欠きを有し、かつ、２枚突き合わされて敷設されて、ほぼ半円状の敷設穴を形成する二重床フロアパネルの半円状の敷設穴部を塞ぐ閉塞部材であって、半円状のキャップ部と、該キャップ部と一体化されてその面に直交して垂下するように延びるとともに前記キャップ部の半円の円弧中央部から円周方向外方に延びた縦リブ部とからなり、
前記縦リブ部は、その下面が前記二重床フロアパネルを支持する支持装置に接触するように形成されるとともに前記二重床フロアパネルの隅部の切り欠きから前記二重床フロアパネルの側面に沿って延びる側面切り欠き部に係合されるように形成されていることを特徴とする二重床フロアパネルの敷設穴部の閉塞部材。
【発明の詳細な説明】
【０００１】
【発明の属する技術分野】
この発明は、オフィスビル内の事務所やコンピュータビル内の配線システムとして採用されている二重床に用いられる二重床フロアパネルの敷設穴部の閉塞部材、特に、二重床フロアパネルの開口からものが落ち込むのを防止する二重床フロアパネルの敷設穴部の閉塞部材に関する。より詳細には、コンクリートなど床盤上に、通信ケーブルや電力線を配線できるようにスペースを形成するために、二重床フロアパネルを敷設して二重床とするが、壁際等で支持装置にねじ止めできない個所に配した二重床フロアパネルの隅部の敷設穴を塞ぐ二重床フロアパネルの敷設穴部の閉塞部材に関する。
【０００２】
【従来の技術】
従来より、オフィスビル内の事務所やコンピュータビル内の配線システムのために二重床フロアが採用されている。二重床フロアは、オフィスにおける電力、電話、データ等の量が今後ますます多量化する時代を迎え、必要不可欠になっている。また、オフィスの頻繁なレイアウト変更に容易に対応できることからも二重床フロアは、必要不可欠である。この二重床フロアに使用されるフロアパネル及びフロアパネル支持装置は種々の形式、構造のものが使用されている。
【０００３】
例えば、二重床フロアパネルとして、図４及び図５に示すようなものが知られている。この例の二重床フロアパネル１は、上面が金属板等からなる天板（トッププレートとも称する）２と、天板２がかしめや溶接等により組み立てられて床として重量を支持する金属板等から形成された剛性の剛性部材（ボトムプレートとも称する）３とから構成されている。そして、このような二重床フロアパネル１を標準品として構成し、床盤上に図示していない支持装置により支持させながら、敷設して二重床フロア構造を形成するようになっている。
【０００４】
二重床フロアパネル１の剛性部材３は、四隅部に切り欠き部４を備え、この切り欠き部４は、平面視すると、隅部の四分円形をした部分と二重床フロアパネル１の側面１ａに沿った側面切り欠き部４ａを有している。
【０００５】
このように構成した二重床フロアパネル１を床盤上に支持部材により空間を形成させて支持させて敷設し、隅部が突き合わされて形成された円形の穴には連結ロック、パネル押さえ等の押さえ部材を嵌合し、ねじで螺着する等により二重床フロアパネル１を固定している。これにより、二重床フロアパネルのずれ、浮き上がり等を防ぎ、二重床のフロアが床盤と同様に安定して使用できるようにしている。さらに、敷設した二重床フロアパネル１の表面にタイルカーペットなどを敷設している。
【０００６】
ところで、中央部で前後左右から突き合わされて、支持装置で支持されて円形穴が形成され、押さえ部材等で止められるような場所ではよいが、壁Ｗに接して突き合わせて敷設し、押さえ部材で押さえることができない場合等には問題となるおそれがある。例えば、四隅に切り欠きを有する標準品の二重床フロアパネル１を、壁Ｗに接して突き合わせて敷設すると、図６に示すように、半円形穴Ｈが形成される。このような場合でも、二重床フロアパネル１が壁に密着して敷設される場合で、半円形穴Ｈに物やハイヒールの踵が入り込む余地が小さければよいが、図７に示すように、二重床フロアパネル１の側面と壁面との隙間Ｌが大きくなると、表面にタイルカーペットなどを敷設しても、半円形穴の穴Ｈに物やハイヒールの踵が入り込むおそれが大きくなる。
【０００７】
そこで、半円形の穴を閉塞するため、図８に示すような半円板形状の閉塞部材５を用いて、二重床フロアパネル１の敷設穴を塞ぐ二重床フロアパネル支持構造が考えられた。この二重床フロアパネル支持構造は、半円穴と閉塞部材５の寸法差が小さい範囲では構造も簡単で安価で、施工も簡便で優れている。
【０００８】
【発明が解決しようとする課題】
しかしながら、前記閉塞部材は、タイルカーペット仕上げにする場合、二重床フロアパネルに接着剤をローラにより塗布して、タイルカーペットを接着するようにしている。この接着剤の塗布の際に、閉塞部材がローラにひっついて穴からはずれたり、回転して穴から下の床に落ちてしまうおそれがあった。
【０００９】
本発明は、上記の事由に鑑みてなしたもので、フロアパネルの隅部の穴を確実に塞ぐことができる二重床フロアパネルの敷設穴部の閉塞部材を提供することを目的とする。
【００１０】
【課題を解決するための手段】
上記の目的を達成するために、請求項１に係る発明の二重床フロアパネルの敷設穴部の閉塞部材は、床盤上に支持装置により支持されて敷設され、二重床構造を形成する二重床フロアパネルが隅部に切り欠きを有し、かつ、２枚突き合わされて敷設されて、ほぼ半円状の敷設穴を形成する二重床フロアパネルの半円状の敷設穴部を塞ぐ閉塞部材であって、半円状のキャップ部と、該キャップ部と一体化されてその面に直交して垂下するように延びるとともに前記キャップ部の半円の円弧中央部から円周方向外方に延びた縦リブ部とからなり、前記縦リブ部は、その下面が前記二重床フロアパネルを支持する支持装置に接触するように形成されるとともに前記二重床フロアパネルの隅部の切り欠きから前記二重床フロアパネルの側面に沿って延びる側面切り欠き部に係合されるように形成されていることを特徴とする。
【００１１】
これにより、閉塞部材の半円キャップ部は二重床フロアパネルの半円形状に形成された敷設穴部に嵌り、縦リブ部がフロアパネル支持装置に接触し、閉塞部材が穴からはずれたり、回転して穴から下の床に落ちてしまうことがなくなり、二重床フロアパネルの隅部の敷設穴を確実に塞ぐことができ、安全性を確保できる。
【００１３】
また、閉塞部材の縦リブ部が、二重床フロアパネルの切り欠きの側面に延びている側面切り欠き部に係合され、一層密接に穴に嵌り、一層確実に閉塞部材を穴部から外れないようにすることができ、フロアパネルの隅部の穴を一層確実に塞ぐことができ、安全性を確保できる。
【００１５】
また、閉塞部材の縦リブ部の下面が支持装置に接触することにより、半円キャップ部が回転するのをなくすことができ、より一層確実に閉塞部材を穴部から外れないようにすることができ、フロアパネルの隅部の穴を一層確実に塞ぐことができ、安全性を確保できる。
【００１６】
【発明の実施の形態】
以下、本発明の実施の形態を図面に基づいて詳細に説明する。図１は閉塞部材の使用位置を説明する要部の斜視図、図２は閉塞部材を示す側面図及び平面図、図３は閉塞部材を設置した状態を示すフロアパネルの隅部の側面図である。なお、二重床フロアパネル等従来例と共通する部分につては同一符号を付して詳細な説明は省略する。
【００１７】
二重床フロアパネルの敷設穴部の閉塞部材１０は、半円キャップ部１１と縦リブ部１２を備えて一体に、概略Ｔ字形状（図２（ａ））に形成されている。半円キャップ部１１は半円形の板状をなし、縦リブ部１２は半円キャップ部１１の面から直角に垂下したように延び、かつ、半円の円弧中央部から円周方向外方に放射状に延び、円周より突出した突出部１２ａを備えて一体に形成されている。縦リブ部１２の上面は、半円キャップ部１１の上面とほぼ同一面に形成され、下面１２ｂは支持装置の載置部の上面に接触するか、その近辺に達する長さにされている。
【００１８】
このように閉塞部材１０を構成することにより、敷設穴部に使用したとき、半円キャップ部１１の回転や移動がしにくくなり、回転して穴から落下したり、接着剤塗布ローラに付着して動かされるのを防ぐことができる。キャップ部を半円形状にすることにより、製作が容易になり、コスト低減を図れる。
【００１９】
この閉塞部材１０は、金属製でもプラスチック製でも異なる部材を接着または一体成形により一体に形成したものであってもよい。金属製とすると重量、強度が容易に大きくできる点で好ましく。プラスチック製とすると、加工が容易で軽量化できる点で好ましく、金属とプラスチックを用いて形成すると、強度と加工性を考慮して、広い範囲の二重床フロアパネルに適用できる。
【００２０】
閉塞部材１０は、図４及び図５に示すように、標準の二重床フロアパネル１が壁Ｗ際に位置しているため、支持装置により四隅部を固定されない場合に使用される。この例の二重床フロアパネル１は、天板２の側面と、硬性部材３の側面にも側面切り欠き部４ａが一体的に形成されている。
【００２１】
そして、図３に示すように、このような構造の二重床フロアパネル１を壁際等で支持するボーダー支柱等の支持装置１３により支持し、本実施の形態の閉塞部材１０を敷設穴部の閉塞に用いる。閉塞部材１０の半円キャップ部１１は、二重床フロアパネル１の突き合わせ隅部に生じた半円形の穴に嵌り、同時に縦リブ部１２の突出部１２ａは側面切り欠き部に嵌り、縦リブ部１２の下面１２ｂは支持装置１３の載置面１３ａに接触するか近接位置に位置するので、閉塞部材１０が回転したり、外れて移動するのをなくすことができる。その結果、二重床フロアパネルの敷設により形成された敷設穴に固定されやすくなり、穴Ｈを容易に塞ぐことができる。
【００２２】
なお、上記説明において、二重床フロアパネルを壁際に敷設する場合に生じる穴部を塞ぐ例で説明したが、これに限られない。例えば、二重床フロアパネルを突き合わせて敷設できず、押さえ部材で穴を塞ぐことができない場合、例えば、ボーダー部用パネルとの境界に用いることもできる。また閉塞部材を半円形状の半円キャップ部で構成する例で説明したが、半円形状に限られず、隙間を差し支えない程度に小さくできる形状であれば、多角形としてもよい。
【００２３】
【発明の効果】
本発明の二重床フロアパネルの敷設穴の閉塞部材は、閉塞部材のキャップ部は二重床フロアパネルの敷設穴の半円形状部に嵌り、縦リブ部の下面がフロアパネル支持装置に接触し、閉塞部材が穴からはずれたり、回転して穴から下の床に落ちてしまうことがなくなり、二重床フロアパネルの敷設穴部の穴を確実に塞ぐことができる。
【００２４】
また、閉塞部材の縦リブ部が、二重床フロアパネルの側面切り欠きの側部に延びている直線部に係合され、一層密接に穴に嵌り、一層確実に閉塞部材を穴部から外れないようにすることができ、フロアパネルの隅部の穴を一層確実に塞ぐことができる。
【００２５】
また、閉塞部材の縦リブ部の下面が支持装置に接触することにより、半円キャップ部が回転するのを防ぐことができ、より一層確実に閉塞部材を穴部から外れないようにすることができ、フロアパネルの隅部の穴を一層確実に塞ぐことができ、安全性を確保できる。
【図面の簡単な説明】
【図１】本発明の一実施の形態である二重床フロアパネルの敷設穴部の閉塞部材の使用位置を説明する斜視図である。
【図２】同上の閉塞部材を示すもので、（ａ）は側面図、（ｂ）は平面図である。
【図３】同上の閉塞部材を設置した状態を示すフロアパネルの隅部の模式的な側面図である。
【図４】二重床フロアパネルを上側から見た斜視図である。
【図５】二重床フロアパネルを示すもので、（ａ）は一部を破断した側面図、（ｂ）は側面図である。
【図６】二重床フロアパネルの壁際の敷設状態を示す斜視図である。
【図７】二重床フロアパネルの壁際に敷設した際の穴の状態を示す平面図である。
【図８】従来の閉塞部材を示す斜視図である。
【符号の説明】
１      二重床フロアパネル
４      切り欠き部
４ａ    側面切り欠き部
１０    閉塞部材
１１    半円キャップ部
１２    縦リブ部
１２ａ  突出部
１２ｂ  下面
Ｈ      穴
Ｗ      壁
【図１】
0003966021.tif 000002
【図２】
0003966021.tif 000003
【図３】
0003966021.tif 000004
【図４】
0003966021.tif 000005
【図５】
0003966021.tif 000006
【図６】
0003966021.tif 000007
【図７】
0003966021.tif 000008
【図８】
0003966021.tif 000009